(57)【要約】  【課題】  壁面の配管穴の径を大きくすることなく、簡便な構成により排水路に結露が生じないようにした空気調和機を提供する。  【解決手段】  吸込口１と吹出口２とを結ぶ空気通路に設けられた熱交換器３と、同熱交換器３に対応する露受皿４からドレン水を室外に排出する排水路５と、室内空気を室外に排出する通気ダクト６とを備えてなり、前記排水路５の一部が、前記通気ダクト６内に空隙７を有して挿通されてなる構成にした。これにより、前記排水路５が前記通気ダクト６内の空隙７からなる断熱層によって断熱されるので、別部材からなる梱包部材を用いる必要がない。【選択図】  図１
2005337636.tif 000002
【特許請求の範囲】
【請求項１】
吸込口と吹出口とを結ぶ空気通路に設けられた熱交換器と、同熱交換器に対応する露受皿からドレン水を室外に排出する排水路と、室内空気を室外に排出する通気ダクトとを備えてなり、
前記排水路の一部が、前記通気ダクト内に空隙を有して挿通されてなることを特徴とする空気調和機。
【発明の詳細な説明】
【技術分野】
【０００１】
本発明は、室内機に排水路と通気ダクトとを備えた空気調和機に係わり、より詳細には、壁面の配管穴の径を大きくすることなく、排水路に結露が生じないようにするための断熱構造に関する。
【背景技術】
【０００２】
室内機に排気ユニットを備えた従来の空気調和機には、壁面の配管穴の径を大きくすることなく、通気ダクトと他の配管類とを共有の配管穴に配置することを可能とし、かつドレン水の逆流を防止するものとして、ドレンパン（露受皿）から流出するドレン水を室外に排出するためのドレン流入口とドレン排水口とを備えるドレン排水経路と、排気ファンにより生成される排出空気流を室外に排出するための排気流入口と排気口とを備える排気経路とが一体的に形成される排水路と、排水路に設けられ、室内空調ユニット側へのドレン水の逆流を防止する逆流防止手段とを備えたものが開示されていた（例えば、特許文献１参照。）。
【０００３】
ただし、排水路に結露が生じないようにするための構成については詳細に開示されておらず、特許文献１の図６中には、ドレンφ１３、断熱部材（ｔ６）との記載が認められ、直径１３ミリメートルの排水路が、厚さ６ミリメートルの断熱部材で被覆されていると解釈することができる。
【０００４】
その場合、断熱部材が必要不可欠な構成部材になるためコスト的に不利になったり、断熱部材で被覆するための作業が必要になるため作業工数が増加してしまったり、また、排水路の直径が断熱部材の厚さ分だけ大きくなってしまうといった問題点が生じるおそれがあった。
【０００５】
【特許文献１】特開２００３−３２９２６２号公報（第１頁〜第８頁、第１図〜第６図）
【発明の開示】
【発明が解決しようとする課題】
【０００６】
本発明は上記の問題点に鑑み、壁面の配管穴の径を大きくすることなく、簡便な構成により排水路に結露が生じないようにした空気調和機を提供することを目的とする。
【課題を解決するための手段】
【０００７】
本発明は、上記課題を解決するため、吸込口と吹出口とを結ぶ空気通路に設けられた熱交換器と、同熱交換器に対応する露受皿からドレン水を室外に排出する排水路と、室内空気を室外に排出する通気ダクトとを備えてなり、
前記排水路の一部が、前記通気ダクト内に空隙を有して挿通されてなる構成となっている。
【発明の効果】
【０００８】
本発明によれば、排水路の一部が、通気ダクト内に空隙を有して挿通される構成にしたので、断熱部材の厚さによって配管穴の径が大きくなってしまうということがなく、排水路に結露が生じないように断熱できるようにした空気調和機となる。
【発明を実施するための最良の形態】
【０００９】
以下、本発明の実施の形態を、添付図面に基づいた実施例として詳細に説明する。
図１は本発明による空気調和機の説明図で、（Ａ）は断面図であり、（Ｂ）は（Ａ）で示すＡ部の拡大図である。
【００１０】
本発明による空気調和機は、図で示すように、前面上部および上面に設けられた吸込口１と、前面下部に設けられた吹出口２とを結ぶ空気通路に、露受皿４を下部に備えた熱交換器３と、図示しない送風ファンおよびこれに連動する換気ファン８とを設け、前記空気通路には通気ダクト６が接続されると共に、前記露受皿４には前記熱交換器３から滴下した凝縮水を室外に排出するための排水路５が接続されている。
【００１１】
上記構成により、前記熱交換器３から滴下した凝縮水は、前記露受皿４で受けられたのち、同露受皿４に接続された排水路５によって室外に排出されるようになっている。
【００１２】
また、前記換気ファン８はファンケーシング９にされており、同ファンケーシング９に接続された通気ダクト６によって汚れた室内空気を室外に排出することにより、室内空気の清浄化を行いながら、被空調室の空気調和を行えるようになっている。
【００１３】
そして、前記排水路５および前記通気ダクト６は、室外機に連なる図示しない冷媒管と共に、壁面Ａに穿設された配管穴Ｂを挿通して室外に導出されるようになっており、この配管穴Ｂの径を大きくすることなく、室内外の通気を効率よく行えるようにし、且つ前記排水路５は、断熱部材で覆わなくても結露が生じることがないように工夫された構成になっている。
【実施例１】
【００１４】
ここで、実施例１として示した図１（Ａ）および図１（Ｂ）に基づいて、室内空気を室外に排気すると共に、前記排水路５が断熱部材で覆われなくても結露が生じることがないようにし、且つドレン水を室外に効率よく室外に排出できるようにした構成について詳細に説明する。
【００１５】
空気調和機本体は、吸込口１と吹出口２とを結ぶ空気通路に、熱交換器３と、図示しない送風ファンおよびこれに連動する換気ファン８とが設けられた構成になっている。
前記熱交換器３に対応して露受皿４が設けられており、同熱交換器３から滴下した凝縮水が同露受皿４で受けられたのち、同露受皿４に接続された前記排水路５によって室外に排出されるようになっている。
【００１６】
その際、前記熱交換器３から滴下した凝縮水が低温であり、前記排水路５に結露が生じてしまうおそれがあるため、同排水路５を空気断熱層によって覆うようにした構成になっている。
【００１７】
すなわち、前記排水路５が、図１（Ｂ）で示すように、前記通気ダクト６内に空隙７を有して同心状に挿通された構成となっており、同空隙７からなる空気断熱層によって断熱されることによって結露が生じないようにした構成となっている。
【００１８】
なお、前記通気ダクト６および前記排水路５は、断面が円形状もしくは略矩形状など任意の形状に形成されるようにすればよい。
【００１９】
これにより、破線の矢印で示すように、前記吸込口１から吸い込まれた汚れた室内空気が、前記換気ファン８により、前記通気ダクト６で室外に排出されるようになっている。
【００２０】
そして、前記熱交換器３から滴下し前記露受皿４で受けられた凝縮水は、実線の矢印で示すように、同露受皿４に接続された前記排水路５によりドレン水として室外に排出される際、前記空隙７からなる均等な空気断熱層によって前記排水路５が断熱されることになるので、同排水路５を別部材からなる断熱部材によって覆う必要がなくなり、その分、前記配管穴Ｂのスペースを圧迫しなくなり、また、断熱部材を削減できることでコスト的にも作業性においても有利な構成になる。
【００２１】
なお、前記熱交換器３から滴下した凝縮水が前記露受皿４から前記排水路５に流出した際、実際にはその大半が内部で蒸発してしまうことになり、残ったドレン水は室外に向けて円滑に排出されることになる。
【図面の簡単な説明】
【００２２】
【図１】本発明による空気調和機の説明図で、（Ａ）は断面図であり、（Ｂ）は（Ａ）で示すＡ部の拡大図である。
【符号の説明】
【００２３】
Ａ  壁面
Ｂ  配管穴
１  吸込口
２  吹出口
３  熱交換器
４  露受皿
５  排水路
６  通気ダクト
７  空隙
８  換気ファン
９  ファンケーシング
【図１】
2005337636.tif 000003